(57)【特許請求の範囲】
【請求項１】
昇降路に突出階を持たないことから到達不能階を有する上下に２つのかごが連結した構造を持つダブルデッキエレベータの各階床の乗り場に設置された乗り場機器にパラメータを設定するための乗り場機器パラメータ設定装置において、前記乗り場機器を識別するパラメータを決定する際の基準かごが指定されたとき上下かごのうち指定されたかごを基準かごに決定する基準かご決定装置と、前記基準かご決定装置で決定された基準かごを指定された引き戻し階に引き戻し停止させる基準かご引き戻し装置と、前記基準かご決定装置で決定された基準かごが停止した階床に基づいて前記パラメータを決定するパラメータ決定装置と、前記パラメータ決定装置によって決定されたパラメータを前記基準かごが位置する階床の乗り場機器に送信するパラメータ送信装置とを備えたことを特徴とする乗り場機器パラメータ設定装置。
【請求項２】
前記基準かご決定装置は、前回決定された一方の基準かごとは異なる他方のかごを基準かごに決定し、前記基準かご引き戻し装置は、前回決定された一方の基準かごの到達不能階に引き戻し停止させることを特徴とする請求項１に記載の乗り場機器パラメータ設定装置。
【請求項３】
前記基準かごを、前記上下かごのうちの他方のかごに切り替える基準かご切り替え装置を備えたことを特徴とする請求項１に記載の乗り場機器パラメータ設定装置。
【請求項４】
前記基準かご切替装置から基準かご切り替え要求があったときは、前記基準かご決定装置は、前回決定された一方の基準かごとは異なる他方のかごを基準かごに決定し、前記基準かご引き戻し装置は、先の基準かごのかご位置を引き戻し階に設定することを特徴とする請求項２に記載の乗り場機器パラメータ設定装置。
【請求項５】
前記各階床のうちの到達不能階となる最上階または最下階に設置された乗り場機器に対する予め定められたパラメータを送信するための固定パラメータ送信装置を備えたことを特徴とする請求項１に記載の乗り場機器パラメータ設定装置。
【請求項６】
前記基準かごを、互いにデータの交換を行う別のダブルデッキエレベータのかごに切り替える基準エレベータ切り替え装置を備えたことを特徴とする請求項１に記載の乗り場機器パラメータ設定装置。
【発明の詳細な説明】
【０００１】
【発明の属する技術分野】
本発明は、ダブルデッキエレベータの据付あるいは保守交換時に乗り場機器にパラメータを設定するための乗り場機器パラメータ設定装置に関する。
【０００２】
【従来の技術】
近年のエレベータでは、機械室、かご、乗り場など各箇所にマイクロコンピュータを有したコントローラを設置し、直列伝送により必要なデータを交換しながら各々の処理を分担してエレベータを制御している。例えば、乗り場呼びへの応答は、以下のように行われる。各階乗り場に設置された乗り場機器の乗り場呼び釦が利用者により押されると、機械室に設置されたエレベータ制御装置はこの信号を受信し、その階へかごを運行させるにように制御する。
【０００３】
乗り場機器はサービス階床の数だけ設置されるので、エレベータ制御装置と乗り場機器との間の伝送は、エレベータ制御装置が親機として機能し、複数の乗り場機器がそれぞれ子機となってパーティーラインと呼ばれる接続方式で構成されることが多い。このような構成の場合、同一伝送路上にある各乗り場機器は各々一意的な識別番号すなわち機器アドレスを持つことにより、データの衝突などのエラーを回避するようにしている。
【０００４】
ここで、エレベータにおいては、乗り場機器を建物の各乗り場にそれぞれ取り付けてから、その後に各階床の乗り場機器に対して機器アドレスの設定を行うことがある。図９はシングルデッキエレベータにおける乗り場機器への機器アドレスの設定方法の説明図である。
【０００５】
エレベータのかご１２はメインロープ１４を介してカウンタウエイト１３に連結されて各階床を移動する。そして、各階床の乗り場機器９の機器アドレス設定時には、作業員はかご１２に乗り込み各階床を移動する。例えばかご１２がある階（例えば５階）の停止レベルに到達したとき、エレベータ制御装置８はその階床に対応する機器アドレスを伝送路１５に発行する。
【０００６】
この状態で、作業員は乗り場（５階）に出てその乗り場機器９の乗り場呼び釦１１を押す。そうすると、その乗り場機器９は、そのときにエレベータ制御装置８が発行している機器アドレスを自分自身の機器アドレスとして、伝送インターフェース１０を介して伝送路１５から取り込む。作業員は再びかご１２に乗り込み次の階床へと移動する。これを繰り返して全階床の乗り場機器９の機器アドレスを設定する。
【０００７】
【発明が解決しようとする課題】
ところが、上下に２つのかごを連結したダブルデッキエレベータにおいては、乗り場機器９への機器アドレスの設定が適切に行えない場合がある。すなわち、エレベータ制御装置が出力する機器アドレスはかご位置に対応した値であるが、ダブルデッキエレベータの場合は上下に２つのかごがあるので、いずれか一方のかごを機器アドレス設定のための基準階とする必要がある。
【０００８】
ダブルデッキエレベータは２つのかごを上下に連結するという構造上、通常の昇降路スペースでは下かごは最上階に、また、上かごは最下階に到達できない。このような階を到達不能階と称することとすると、上かごを基準かごとした場合は最下階（到達不能階）の機器アドレスの設定ができないし、下かごを基準かごとした場合は最上階（到達不能階）の機器アドレスの設定ができない。
【０００９】
そこで、このような到達不能階をなくすため、昇降路オーバーヘッド部分を高くしスペースを設けることにより、下かごが最上階に、または、昇降路ビットを深くして上かごが最下階に、それぞれ到達できるようにすることが望ましい。以下、このようなスペースを突出階と称することとする。
【００１０】
しかし、日照権の侵害問題や、外観など建物の設計自由度の低下、建設コストの増大などのマイナス要因、また、老朽化したエレベータの取り替え工事（モダニゼーンョン）の際にシングルデッキエレベータをダブルデッキに置き換えた場合など、突出階を設置することが困難なケースが多々あり、必ずしも全てのダブルデッキエレベータに突出階が設けられているわけではない。
【００１１】
このように、突出階を持たないダブルデッキエレベータでは、基準かごの到達不能階の機器アドレスの設定ができないという問題点があった。
【００１２】
本発明の目的は、突出階を持たないダブルデッキエレベータの裾付時あるいは保守交換時における乗り場機器の機器アドレスを含むパラメータの設定を容易に行える乗り場機器パラメータ設定装置を提供することである。
【００１３】
【課題を解決するための手段】
請求項１の発明に係わる乗り場機器パラメータ設定装置は、昇降路に突出階を持たないことから到達不能階を有する上下に２つのかごが連結した構造を持つダブルデッキエレベータの各階床の乗り場に設置された乗り場機器にパラメータを設定するための乗り場機器パラメータ設定装置において、乗り場機器を識別するパラメータを決定する際の基準かごが指定されたとき上下かごのうち指定されたかごを基準かごに決定する基準かご決定装置と、基準かご決定装置で決定された基準かごを指定された引き戻し階に引き戻し停止させる基準かご引き戻し装置と、基準かご決定装置で決定された基準かごが停止した階床に基づいてパラメータを決定するパラメータ決定装置と、パラメータ決定装置によって決定されたパラメータを基準かごが位置する階床の乗り場機器に送信するパラメータ送信装置とを備えたものである。
【００１４】
請求項２の発明に係わる乗り場機器パラメータ設定装置は、請求項１の発明において、基準かご決定装置は、前回決定された一方の基準かごとは異なる他方のかごを基準かごに決定し、基準かご引き戻し装置は、前回決定された一方の基準かごの到達不能階に引き戻し停止させるようにしたものである。
【００１５】
請求項３の発明に係わる乗り場機器パラメータ設定装置は、請求項１の発明において、基準かごを、上下かごのうちの他方のかごに切り替える基準かご切り替え装置を備えたものである。
【００１６】
請求項４の発明に係わる乗り場機器パラメータ設定装置は、請求項３の発明において、基準かご切替装置から基準かご切り替え要求があったときは、基準かご決定装置は、前回決定された一方の基準かごとは異なる他方のかごを基準かごに決定し、基準かご引き戻し装置は、先の基準かごのかご位置を引き戻し階に設定するようにしたものである。
【００１７】
請求項５の発明に係わる乗り場機器パラメータ設定装置は、請求項１の発明において、各階床のうちの到達不能階となる最上階または最下階に設置された乗り場機器に対する予め定められたパラメータを送信するための固定パラメータ送信装置を備えたものである。
【００１８】
請求項６の発明に係わる乗り場機器パラメータ設定装置は、請求項１の発明において、基準かごを、互いにデータの交換を行う別のダブルデッキエレベータのかごに切り替える基準エレベータ切り替え装置を備えたものである。
【００２１】
【発明の実施の形態】
以下、本発明の実施の形態を説明する。図１は、本発明の第１の実施の形態に係わる乗り場機器パラメータ設定装置のブロック図である。本発明の乗り場機器パラメータ設定装置は、エレベータ制御装置内に設けられる。まず、作業者は入力機器例えばエレベータ制御装置に接続された制御卓から、基準かご指定データおよび基準かごの引き戻し階指定データを基準かご決定装置１に入力する。基準かご決定装置１は、入力した基準かご指定データに基づきダブルデッキエレベータの上下かごのうちいずれのかごが基準かごに選択されたかを判定する。そして、基準かご決定装置１で決定した基準かごデータおよびその引き戻し階データを基準かご引き戻し装置２に出力する。
【００２２】
基準かご引き戻し装置２は、基準かご決定装置１で決定された基準かごを指定された引き戻し階に引き戻し停止させるものであり、モータに駆動指令を出力して基準かごを指定された引き戻し階に引き戻す。
【００２３】
一方、パラメータ決定装置３は、基準かご決定装置１で決定された基準かごデータを入力し、その基準かごが指定された引き戻し階に引き戻された場合に、その階床のパラメータを決定し、パラメータ送信装置４を介してその決定されたパラメータを基準かごが位置する階床の乗り場機器に送信する。これにより、その階床の乗り場機器に所定のパラメータが設定される。
【００２４】
図２は、第１の実施の形態における乗り場機器パラメータ設定装置の動作を示すフローチャートである。まず、初期状態においてはモードは「０」となっており（Ｓ１）、処理の終了要求があるか否かを判定する（Ｓ２）。処理の終了要求がない場合には、モードの判定を行う（Ｓ３）。初期状態で起動した場合にはモードは「０」であるので、作業者により入力機器から入力された基準かご指定データに基づき上下かごのうち指定されたかごを基準かごとして設定する（Ｓ４）。同様に作業者が入力した引き戻し階指定データに基づき、基準かごの引き戻し階を設定し（Ｓ５）、モードを「１」としてステップＳ２に戻る（Ｓ６）。
【００２５】
ステップＳ２では処理の終了要求があるか否かを判定し、ステップＳ３でモードの判定を行う。この場合は、モードが「１」となっているので、基準かごを引き戻し階まで走行させその引き戻し階で停止させてドアを開く（Ｓ７）。そして、モードを「２」としステップＳ２に戻る（Ｓ８）。例えばステップＳ４で設定した基準かごが上かごであり、ステップＳ５で設定した引き戻し階が５階である場合には、上かごを引き戻し階である５階まで走行させ５階で停止させてドアを開く。このとき下かごは４階に位置することになる。
【００２６】
ステップＳ２では処理の終了要求があるか否かを判定し、ステップＳ３でモードの判定を行う。この場合は、モードが「２」となっているので、ステップＳ９によりかご呼びがあるか否かを判定し、かご呼びがない場合には基準かごのかご位置に応じたパラメータを決定する（Ｓ１０）。そして、ステップＳ１０で決定されたパラメータを各階に設置された乗り場機器すべてに送信しステップＳ２に戻る（Ｓ１１）。
【００２７】
ステップＳ１１の段階での作業者の行動は、引き戻し階に行きその階の乗り場呼び釦を押すことになる。つまり、パラメータ受信トリガー（例えば乗り場呼び釦を押すこと）を与えられた乗り場機器が送信されたパラメータを受信し、以後、その乗り場機器に固有なパラメータとして乗り場機器のメモリ内に保存する。これにより、乗り場機器はその階に対応したパラメータを受信しメモリに記憶することとなる。
【００２８】
次に、かごに乗り込んだ作業者によってかご呼び釦が押されると、かごは通常の運転と同様、指定された階に走行する（Ｓ１２）。作業者がかごと共に目的の階に移動し、ステップＳ１０からステップＳ１２を順次繰り返すことで、基準かごが到達できるすべての階の乗り場機器のパラメータが設定できる。例えば、基準かごが上かごで引き戻し階を最上階とした場合、最上階から最下階よりも１つ上の階までの乗り場機器のパラメータが設定できる。
【００２９】
ステップＳ４からステップＳ１２までの作業中に作業員により設定作業の終了要求（例えば基準かご内のドア開釦を１秒以上押し続けること）が入力された場合、エレベータは通常の運転に復帰する（Ｓ１３）。つまり、ステップＳ１０からステップＳ１２を順次繰り返して基準かごが到達できる終端階（例えば基準かごが上かごであれば最下階の１階床上方の階）まで乗り場機器のパラメータ設定が終了したあと、ステップＳ１３に示す終了要求を作業員が入力して、一旦通常の運転に復帰する。
【００３０】
しかる後、前回基準かごに指定したかごとは異なるかごを基準かごに設定して、再びステップＳ１からの作業を行う。例えば、前回上かごを基準かごとして最下階の１階床上方の階までの乗り場機器のパラメータ設定を行ったとすると、新しい基準かごは下かごとする。再びステップＳ１からステップＳ１１を実行したのち、ステップＳ１２で作業者が最下階のかご呼び釦を押し、前回設定できなかった階（すなわち前回の基準かごの到達不能階）まで基準かごを走行させ、その階の乗り場機器のパラメータ設定を行う。以上のようにすると、到達不能階に設置された乗り場機器のパラメータ設定が行える。
【００３１】
次に、本発明の第２の実施の形態を説明する。図３は、本発明の第２の実施の形態に係わる乗り場機器パラメータ設定装置のブロック図である。この第２の実施の形態は、図１に示した第１の実施の形態に対し、基準かごを、上下かごのうちの他方のかごに切り替える基準かご切り替え装置５を追加して設けたものである。その他の構成は、図１に示す第１の実施の形態と同一であるので、同一要素には同一符号を付しその説明は省略する。
【００３２】
図３において、基準かごの到達不能階、例えば基準かごが上かごであれば最下階、基準かごが下かごであれば最上階の乗り場機器のパラメータを設定するには、作業者は基準かご切り替え要求を行う。この基準かご切り替え要求は、例えば基準かご内のドア閉釦とドア開釦を同時に押すことで行う。
【００３３】
基準かご切り替え要求があると、基準かご切り替え装置５は、その旨を基準かご決定装置１に通知し引き戻し階を再設定する。すなわち、基準かご切り替え要求があると、基準かご切り替え装置５はある一定時間（例えば３秒）後にドアを閉める。その間に作業者はかごを出て乗り場に残り、先の基準かごのかご位置（作業者が残っている階）を引き戻し階に設定し、基準かごを他方のかごに切り替える。
【００３４】
図４は、第２の実施の形態における乗り場機器パラメータ設定装置の動作を示すフローチャートである。図２に示した第１の実施の形態における乗り場機器パラメータ設定装置の動作に対し、ステップＳ１４からステップＳ１７を追加して設けたものである。その他のステップは同一であるので、同一ステップには同一符号を付しその説明は省略する。
【００３５】
まず、初期状態においてはモードは「０」となっており（Ｓ１）、処理の終了要求があるか否かを判定する（Ｓ２）。処理の終了要求がない場合には、基準かご切り替え要求があるか否かを判定する（Ｓ１４）。その判定で、基準かご切り替え要求がないと判定されたときは、図２に示した第１の実施の形態における乗り場機器パラメータ設定装置の動作と同様な処理が行われる。すなわち、ステップＳ３以降の処理が行われる。
【００３６】
一方、ステップＳ１４の判定で基準かご切り替え要求があると判定されたときは、現在の基準かごが位置する階床を引き戻し階として、引き戻し階を再設定する（Ｓ１５）。そして、基準かごを他方のかごに切り替え（Ｓ１６）、モードを「１」としてステップＳ２に戻る（Ｓ１７）。この場合には、モードは「１」となっているので、ステップＳ７以降の処理が行われることになる。
【００３７】
このようにすると、切り替え後の基準かごは、切り替え前の基準かごの到達不能階にも到達できるので、すべての階に設置された乗り場機器のパラメータ設定が完了する。また、これらの処理中に作業員により終了を示すデータ（例えば基準かご内のドア開釦を１秒以上押し続けること）が入力された場合、エレベータは通常の運転に復帰する（Ｓ１３）。以上のようにすると、すべての階に設置された乗り場機器のパラメータ設定が効率よく行える。
【００３８】
次に、本発明の第３の実施の形態を説明する。図５は、本発明の第３の実施の形態に係わる乗り場機器パラメータ設定装置のブロック図である。この第３の実施の形態は、図１に示した第１の実施の形態に対し、各階床のうちの特定の階に設置された乗り場機器に対する予め定められた固定パラメータを送信するための固定パラメータ送信装置６を追加して設けたものである。その他の構成は、図１に示す第１の実施の形態と同一であるので、同一要素には同一符号を付しその説明は省略する。
【００３９】
図５において、基準かごの到達不能階の乗り場機器のパラメータ設定を行うには、作業者が固定パラメータ出力要求を行う。例えば基準かご内のドア開釦とドア閉釦を同時に押すことで固定パラメータ出力要求を行う。固定パラメータ出力要求があったときは、固定パラメータ送信装置６は、予め定められた固定パラメータ値を乗り場機器に送信する。例えば、固定パラメータ値は最上階または最下階に対応する値であり、基準かごが上かごであれば最下階に、基準かごが下かごであれば最上階に対応する値とする。作業員は、固定パラメータに対応する階まで徒歩で移動し、その階の乗り場機器のパラメータ受信トリガー（例えば乗り場呼び釦を押すこと）をかける。これによって、最下階に設置された乗り場機器のパラメータ設定が完了する。
【００４０】
図６は、第３の実施の形態における乗り場機器パラメータ設定装置の動作を示すフローチャートである。図２に示した第１の実施の形態における乗り場機器パラメータ設定装置の動作に対し、ステップＳ１８およびステップＳ１９を追加して設けたものである。その他のステップは同一であるので、同一ステップには同一符号を付しその説明は省略する。
【００４１】
まず、初期状態においてはモードは「０」となっており（Ｓ１）、処理の終了要求があるか否かを判定する（Ｓ２）。処理の終了要求がない場合には、固定パラメータ出力要求があるか否かを判定する（Ｓ１８）。その判定で、固定パラメータ出力要求がないと判定されたときは、図２に示した第１の実施の形態における乗り場機器パラメータ設定装置の動作と同様な処理が行われる。すなわち、ステップＳ３以降の処理が行われる。
【００４２】
一方、ステップＳ１８の判定で固定パラメータ出力要求があると判定されたときは、予め定められた固定パラメータ値を乗り場機器に送信しステップＳ２に戻る（Ｓ１９）。例えば、固定パラメータ値は最上階または最下階に対応する値であり、基準かごが上かごであるときは最下階に対応する値が送信され、基準かごが下かごであるときは最上階に対応する値が送信される。そして、ステップＳ３以降の処理が行われる。
【００４３】
また、これらの処理中に作業員により終了を示すデータ（例えば基準かご内のドア開釦を１秒以上押し続けること）が入力された場合、エレベータは通常の運転に復帰する（Ｓ１３）。以上のようにすると、すべての階に設置された乗り場機器のパラメータ設定が効率よく行える。
【００４４】
次に、本発明の第４の実施の形態を説明する。図７は、本発明の第４の実施の形態に係わる乗り場機器パラメータ設定装置のブロック図である。この第４の実施の形態は、図１に示した第１の実施の形態に対し、基準かごを、互いにデータの交換を行う別のダブルデッキエレベータのかごに切り替える基準エレベータ切り替え装置７を追加して設けたものである。その他の構成は、図１に示す第１の実施の形態と同一であるので、同一要素には同一符号を付しその説明は省略する。
【００４５】
図７において、基準かごの到達不能階の乗り場機器のパラメータを設定するには、作業者は基準エレベータ切り替え要求を行う。例えば基準かご内のドア閉釦とドア開釦を同時に押すことで基準エレベータ切り替え要求を行う。基準エレベータ切り替え要求があると、基準エレベータ切り替え装置７は、それまでの基準かごのかご位置を新しい引き戻し階として引き戻し階指定データを作成すると共に、それまでの基準かごを新しい基準かごとして基準かご指定データを作成する。そして、それらを基準かご決定装置１に出力する。また、作成した引き戻し階指定データと基準かご指定データとを他のエレベータ制御装置に送信する。
【００４６】
それらのデータを受信したエレベータ制御装置がダブルデッキエレベータである場合、基準かご決定装置１は、受信した基準かご指定データに基づき基準かごを決定する。例えば、それまでの基準かごが上かごであるなら下かごを、それまでの基準かごが下かごであるなら上かごを、次の基準かごとして決定する。
【００４７】
図８は、第４の実施の形態における乗り場機器パラメータ設定装置の動作を示すフローチャートである。図２に示した第１の実施の形態における乗り場機器パラメータ設定装置の動作に対し、ステップＳ２０からステップＳ２３を追加して設けたものである。その他のステップは同一であるので、同一ステップには同一符号を付しその説明は省略する。
【００４８】
まず、初期状態においてはモードは「０」となっており（Ｓ１）、処理の終了要求があるか否かを判定する（Ｓ２）。処理の終了要求がない場合には、基準エレベータ切り替え要求があるか否かを判定する（Ｓ２０）。その判定で、基準エレベータの切り替え要求がないと判定されたときは、図２に示した第１の実施の形態における乗り場機器パラメータ設定装置の動作と同様な処理が行われる。すなわち、ステップＳ３以降の処理が行われる。
【００４９】
一方、ステップＳ２０の判定で基準エレベータの切り替え要求があると判定されたときは、それまでの基準かごのかご位置を新しい引き戻し階として新しい引き戻し階指定データを作成する（Ｓ２１）。また、それまでの基準かごを新しい基準かごとして基準かご指定データを作成する（Ｓ２２）。次に、ステップＳ２１およびステップＳ２２で作成した引き戻し階指定データと基準かご指定データとを他のエレベータ制御装置に送信しステップＳ２に戻る（Ｓ２３）。
【００５０】
そして、ステップＳ２３によりデータを受信したエレベータ制御装置がダブルデッキエレベータである場合には、受信した基準かご指定データに基づきステップＳ４において基準かごを判断する。例えば、それまでの基準かごが上かごであるなら下かごを、それまでの基準かごが下かごであるなら上かごを、次の基準かごとして決定する。
【００５１】
次に、ステップＳ７を行うことで、新しく決定した基準かごは作業員のいる階へ走行しドアを開く。そして、作業員が前回の基準かごでは到達できなかった階（例えば最下階）へのかご呼びをつくる。このようにしてステップＳ１０からステップＳ１２を再び実施することで、すべての階の乗り場機器のパラメータ設定が完了する。また、これらの処理中に作業員により終了を示すデータ（例えば基準かご内のドア階釦を１秒以上押し続けること）が入力された場合、エレベータは通常の運転に復帰する（Ｓ１３）。
【００５２】
一方、ステップＳ２３によりデータを受信したエレベータ制御装置がシングルデッキエレベータである場合は、ステップＳ４の基準かごの決定は不要となる。この場合、ステップＳ５以降を処理すればよい。以上のようにすると、すべての階の乗り場機器のパラメータ設定が効率よく行える。
【００５３】
【発明の効果】
以上述べたように、本発明によれば、到達不能階に設置された乗り場機器のパラメータ設定を効率よく行える。
【００５４】
請求項１の発明によれば、基準かごを上下いずれのかごとするかを作業者が選択できるので、乗り場機器のパラメータ設定作業を容易に行える。
【００５５】
請求項２の発明によれば、前回基準かごと異なるかごを基準かごと決定して、乗り場機器のパラメータの設定を行うので、前回の基準かごの到達不能階に設置された乗り場機器に対してもパラメータ設定が行える。
【００５６】
請求項３の発明によれば、作業の途中で基準かごを一方から他方へ切り替えできるので、設定作業の効率を向上できる。また、請求項４の発明によれば、前回の基準かごとは異なる他方のかごに基準かごが決定され、かごに乗って前回の基準かごの到達不能階に行くことができるので、乗り場機器のパラメータ設定作業を容易に行える。
【００５７】
請求項５の発明によれば、基準かごの到達不能階の乗り場機器に対してはパラメータを固定で出力するので、設定作業の効率を向上できる。請求項６の発明によれば、２台以上のエレベータが互いにデータを交換して動作する場合に、到達不能階の設定は別のエレベータかごに乗り換えて行うので、設定作業の効率を向上できる。
【図面の簡単な説明】
【図１】図１は、本発明の第１の実施の形態に係わる乗り場機器パラメータ設定装置のブロック図である。
【図２】図２は、第１の実施の形態における乗り場機器パラメータ設定装置の動作を示すフローチャートである。
【図３】図３は、本発明の第２の実施の形態に係わる乗り場機器パラメータ設定装置のブロック図である。
【図４】図４は、第２の実施の形態における乗り場機器パラメータ設定装置の動作を示すフローチャートである。
【図５】図５は、本発明の第３の実施の形態に係わる乗り場機器パラメータ設定装置のブロック図である。
【図６】図６は、第３の実施の形態における乗り場機器パラメータ設定装置の動作を示すフローチャートである。
【図７】図７は、本発明の第４の実施の形態に係わる乗り場機器パラメータ設定装置のブロック図である。
【図８】図８は、第４の実施の形態における乗り場機器パラメータ設定装置の動作を示すフローチャートである。
【図９】図９は、シングルデッキエレベータにおける乗り場機器への機器アドレスの設定方法の説明図である。
【符号の説明】
１  基準かご決定装置
２  基準かご引き戻し装置
３  パラメータ決定装置
４  パラメータ送信装置
５  基準かご切り替え装置
６  固定パラメータ出力装置
７  基準エレベータ切り替え装置
８  エレベータ制御装置
９  乗り場機器
１０  伝送インターフェース
１１  乗り場呼び釦
１２  かご
１３  カウンターウェイト
１４  メインロープ
１５  伝送路
【図１】
0003889108.tif 000002
【図２】
0003889108.tif 000003
【図３】
0003889108.tif 000004
【図４】
0003889108.tif 000005
【図５】
0003889108.tif 000006
【図６】
0003889108.tif 000007
【図７】
0003889108.tif 000008
【図８】
0003889108.tif 000009
【図９】
0003889108.tif 000010